(57)【要約】      （修正有）【課題】ダブルの構造補強効果と遮光しないよう光線を避ける効果とを備える発光ダイオード支持台を提供する。【解決手段】発光ダイオード支持台は、本体と、ブラケットセットと、少なくとも二つの突起と、区画体とを含む。本体の上面に複数の側辺で囲まれてなる凹部を有し、ブラケットセットは、いずれも本体に設けられた第１ブラケットと第２ブラケットを含み、且つ、第１、第２ブラケットの凹部からの露出部分は、設置部を１つずつ有し、二つの突起が複数の側辺のうち両対向の側辺の内縁とブラケットセットの上面との間にそれぞれ設けられ、各突起の上面は、下へ徐々に傾斜する第１斜面と第２斜面をさらに有し、区画体がブラケットセットの第１、第２ブラケットの間に形成された。【選択図】図２
0003174767.tif 000002
【実用新案登録請求の範囲】
【請求項１】
上面に複数の側辺で囲まれてなる凹部を有する本体と、
いずれも前記本体に設けられた第１ブラケットと第２ブラケットを含み、前記凹部からの露出部分は設置部を１つずつ有するブラケットセットと、
前記複数の側辺のうち両対向の側辺の内縁と前記ブラケットセットの上面との間にそれぞれ設けられ、各上面は、下へ徐々に傾斜する第１斜面と第２斜面を有する少なくとも二つの突起と、
前記ブラケットセットの第１、第２ブラケットの間に形成された区画体とを含む発光ダイオード支持台。
【請求項２】
前記区画体は、少なくとも一つの縦セグメントと複数の対向縦セグメントとを有し、前記縦セグメントが前記第１、第２ブラケットのうち何れかの一方に近く位置され、前記第１、第２ブラケットの前記縦セグメントとの隣接箇所には大きな空間と小さな空間とが前記縦セグメントにより区画されたことを特徴とする請求項１に記載の発光ダイオード支持台。
【請求項３】
前記大きな空間に電気的に設けられた電子素子をさらに含むことを特徴とする請求項２に記載の発光ダイオード支持台。
【請求項４】
前記電子素子は、ツェナーダイオードを含むことを特徴とする請求項３に記載の発光ダイオード支持台。
【請求項５】
前記電子素子は、ツェナーダイオードに直列して接続されたヒューズをさらに含むことを特徴とする請求項４に記載の発光ダイオード支持台。
【請求項６】
前記本体の前記両対向の側辺は、いずれも長辺であり、各前記突起が前記長辺の中間に設けられたことを特徴とする請求項１に記載の発光ダイオード支持台。
【請求項７】
各前記突起の両端が両収束端となっていることを特徴とする請求項１に記載の発光ダイオード支持台。
【請求項８】
各前記突起の前記第１斜面は、前記本体の前記対応側辺から下へ傾斜し、前記第２斜面は、前記第１斜面に繋いでさらに下へ前記ブラケットセットの上面まで傾斜され、前記第１斜面の勾配が前記対応側辺より大きく、前記第２斜面の勾配が前記第１斜面より大きいことを特徴とする請求項１に記載の発光ダイオード支持台。
【請求項９】
前記第１ブラケットの設置部と前記第２ブラケットの設置部とがいずれも凹溝であることを特徴とする請求項１に記載の発光ダイオード支持台。
【請求項１０】
前記本体は直方体状であり、前記複数の側辺は、当該直方体の二つの対向長辺と二つの対向短辺とであり、前記本体の上面に前記凹部が前記二つの対向長辺と二つの対向短辺とで囲まれてなることを特徴とする請求項１に記載の発光ダイオード支持台。
【請求項１１】
前記本体は楕円体状であり、前記複数の側辺は、当該楕円体の二つの対向長辺と二つの対向短辺とであり、前記本体の上面に前記凹部が前記二つの対向長辺と二つの対向短辺とで囲まれてなることを特徴とする請求項１に記載の発光ダイオード支持台。
【考案の詳細な説明】
【技術分野】
【０００１】
本考案は、発光ダイオード支持台に関し、特に、発光ダイオードチップを支持するための発光ダイオード支持台に関する。
【背景技術】
【０００２】
発光ダイオードは、省電力、寿命が長く、発熱し難い優れた特性を有するため、現在、バックライトや、照明、または信号光源などに主流化として広く適用されている。
【０００３】
しかし、長尺型（例えば、直方体状または楕円体状）の発光ダイオードは、折れ易い欠点を有する外、静電気やサージまたは突入電流などによる破壊で故障し易い欠点を有し、何れも長く指摘されて来た問題となっている。
【０００４】
図１に示した従来の発光ダイオード支持台は、少なくとも二つの発光ダイオードチップ（図示せず）を支持するためのものであって、従来の発光ダイオード支持台１は、本体１１と、第１ブラケット１２と、第２ブラケット１２Ａと、区画体１３とを含む。そのうち、本体１１の上面に複数の側辺１１１で囲まれてなる凹部１１２を有し、上記の複数の側辺１１１は、二つの対向する長辺と二つの対向する短辺とを備え、第１、第２ブラケット１２、１２Ａが本体１１に設けられ、第１、第２ブラケット１２、１２Ａの凹部１１２からの露出部分は、さらに凹溝１２２、１２２Ａを１つずつ有し、区画体１３は、第１、第２ブラケット１２、１２Ａの間に区画している。区画体１３は、さらに、一方向に延伸する縦セグメント１３１と、他方向に延伸する両対向の縦セグメント（符号を示さず）とを有し、縦セグメント１３１が二つの凹溝１２２、１２２Ａの間の中央に位置され、二つの凹溝１２２、１２２Ａの間のブラケット上面１２１、１２１Ａに第１空間１２３と第２空間１２４が縦セグメント１３１により区画され、且つ、第１、第２空間１２３、１２４が同じ大きさの空間を有する。
【０００５】
しかしながら、従来の発光ダイオード支持台１は、以下の欠点を克服すべきである。
１、本体１１は直方体状であるので、本体１１のそれぞれの長辺の略中央部に折れ易くなり、それぞれの折れ易い箇所で補強突起を増設しようとしても、遮光の問題が逆に生じられ、発光効率が影響されることになる。
２、一般の電子素子と同じ、発光ダイオードは、静電気やサージまたは突入電流などに破壊され易いため、これらに破壊されないよう発光ダイオードを保護しようとする場合に、ブラケット１２の上記第１空間１２３または第２空間１２４に保護用の電子素子（図示せず）を電気的に設置すれば良いが、これらの電子素子の最適な設置位置について、第１空間１２３または第２空間１２４の大きさが同じであるため、上記電子素子が増設し難い或いは増設できない事態となる。
【考案の概要】
【考案が解決しようとする課題】
【０００６】
そのため、上記の欠点を克服できる本考案は、どうすれば設計できるのかが、本考案の創作者が解決しようとする大きな課題である。
【０００７】
本考案は、本体の最も折れ易い箇所に補強用の突起が設けられることで、構造補強の効果を有し、また、当該突起は、下へ徐々に傾斜する連続斜面、即ち第１斜面と第２斜面とをさらに有し、遮光しないよう光線を避ける効果（発光効率が影響されず）と、より強固な構造補強の効果とを兼備する発光ダイオード支持台を提供することを一つの目的とする。
【０００８】
本考案は、区画体の縦セグメントを第１、第２ブラケットのうち何れかの一方に近く位置させ、第１、第２ブラケットの間を大きな空間及び小さな空間となるように該縦セグメントによりそれぞれ区画し、該大きな空間に保護用の電子素子が電気的に設置され易くなり、静電気やサージまたは突入電流などに破壊されないよう発光ダイオードを保護できる外、電子素子を設置するときに、増設し難い或いは増設できない困惑がなくなる発光ダイオード支持台を提供することを次の目的とする。
【課題を解決するための手段】
【０００９】
前記目的を達成するため、本考案による発光ダイオード支持台は、本体と、ブラケットセットと、少なくとも二つの突起と、区画体とを含む。前記本体の上面に複数の側辺で囲まれてなる凹部を有し、前記ブラケットセットは、いずれも前記本体に設けられた第１ブラケットと第２ブラケットを含み、前記第１、第２ブラケットの前記凹部からの露出部分は、設置部を１つずつ有し、前記二つの突起が前記複数の側辺のうち両対向の側辺の内縁とブラケットセットの上面との間にそれぞれ設けられ、各突起の上面は、下へ徐々に傾斜する第１斜面と第２斜面を有し、前記区画体が前記ブラケットセットの第１、第２ブラケットの間に形成されている。
【００１０】
よって、ダブルの構造補強効果（一つ目、突起が設けられる。二つ目、該突起が第１、第２斜面を有する）と、遮光しないよう光線を避ける効果（発光効率が影響されず）とを備える。
【００１１】
前記目的を達成するため、本考案による発光ダイオード支持台は、前記区画体が少なくとも一つの縦セグメントと複数の対向縦セグメントとを有し、前記縦セグメントが前記第１、第２ブラケットのうち何れかの一方に近く位置され、前記第１、第２ブラケットの前記縦セグメントとの隣接箇所には大きな空間と小さな空間とが前記縦セグメントにより区画されている。
【００１２】
よって、前記ブラケットの大きな空間に保護用の電子素子が電気的に設置され易くなり、静電気やサージまたは突入電流などに破壊されないよう発光ダイオードを保護できる外、電子素子を設置するときに、増設し難い或いは増設できない困惑がなくなる。
【図面の簡単な説明】
【００１３】
【図１】従来の発光ダイオード支持台の平面図である。
【図２】本考案による発光ダイオード支持台の斜視図である。
【図３】本考案による発光ダイオード支持台の平面図である。
【図４】本考案による発光ダイオード支持台の４−４線の断面図である。
【図５】本考案による発光ダイオード支持台の５−５線の断面図である。
【考案を実施するための形態】
【００１４】
本考案の特徴、特点及び技術内容のさらなる深い理解は、以下の本考案に係る詳細説明及び添付図面を参照すれば得られるが、それらの添付図面は参考や説明のために供され、本考案を局限するものではない。
【実施例】
【００１５】
図２〜図５に示すように、本考案は、少なくとも二つの発光ダイオードチップ（図示せず）を支持するための発光ダイオード支持台２を提供した。
【００１６】
発光ダイオード支持台２は、本体２１と、ブラケットセットと、区画体２３と、少なくとも二つの突起２４とを含む。図５に示すように、ブラケットセットは、第１ブラケット２２と第２ブラケット２２Ａとを含み、さらに、符号を示されない第３ブラケットを含んでも良い。
【００１７】
本体２１の上面には複数の側辺２１１で囲まれてなる凹部２１３を有する。本体２１は、図に示された直方体状であり、複数の側辺２１１は、当該直方体の二つの対向の長辺と二つの対向の短辺とであり、言い換えれば、本体２１の上面に凹部２１３が二つの対向の長辺と二つの対向の短辺とで囲まれてなる。勿論、本体２１は、図示されない楕円体状であってもよい、複数の側辺２１１は、当該楕円体の二つの対向の長辺と二つの対向の短辺とであり、言い換えれば、本体２１の上面に凹部２１３が二つの対向の長辺と二つの対向の短辺とで囲まれてなる。
【００１８】
ブラケットセットは、いずれも本体２１に設けられた第１ブラケット２２と第２ブラケット２２Ａを含み、第１、第２ブラケット２２、２２Ａの外端及び該両外端の間の部分が本体２１から露出され、図に示すように、第１、第２ブラケット２２、２２Ａの凹部２１３からの露出部分は、設置部２２２、２２２Ａを１つずつ有し、図に示すように、両設置部２２２、２２２Ａは、図示されない発光ダイオードチップを載せるよう、それぞれ第１、第２ブラケットの上面２２１、２２１Ａから凹む両凹溝である（図５に示すように）。
【００１９】
二つの突起２４が複数の側辺２１１のうち両対向の長辺の内縁２１２とブラケットセットの上面（上面２２１と上面２２１Ａとを含み）との間にそれぞれ設けられ、各突起２４の上面（符号示されず）は、下へ徐々に傾斜する第１斜面２４１と第２斜面２４２とを有する。図２、図４に示すように、各突起２４の第１斜面２４１は、本体２１の対応長辺から下へ傾斜し、第２斜面２４２は、第１斜面２４１に繋いでさらに下へブラケットセットの上面（即ち、第１、第２ブラケット２２、２２Ａの上面２２１、２２１Ａ）まで傾斜され、第１斜面２４１の勾配が対応の長辺（図に示すように、該長辺は平面状であり）より大きく、第２斜面２４２の勾配が第１斜面２４１より大きく、また、各突起２４が各長辺の中間に設けられている。よって、より好ましい構造補強効果を有する外、遮光しないよう光線を避けられ、さらに、各突起２４の両端が両収束端２４３（図３に示すように）になっている。
【００２０】
区画体２３が第１、第２ブラケット２２、２２Ａの間に形成され、区画体２３は、一方向に延伸する少なくとも一つの縦セグメント２３１と、他方向に延伸する複数の対向縦セグメント（符号示されず）とを有し、縦セグメント２３１が第１、第２ブラケット２２、２２Ａのうち何れかの一方（図に示されるように、第１ブラケット２２の近く）に近く位置され、第１、第２ブラケット２２、２２Ａの縦セグメント２３１との隣接箇所には右側の大きな空間２２３と左側の小さな空間２２４とが縦セグメント２１３により区画され、詳しく言えば、小さな空間２２４は、縦セグメント２３１と設置部２２２との間の空間からなり、大きな空間２２３は、縦セグメント２３１と他の設置部２２２Ａとの間の空間からなる。
【００２１】
そのため、静電気やサージまたは突入電流などに破壊されないよう発光ダイオードを保護しようとすると、発明者らは、第２ブラケット２２Ａの大きな空間２２３に図示されない保護用の電子素子を電気的に設置することで対策として応対している。電子素子は、ツェナーダイオード（図示せず）を含み、また、ツェナーダイオードに直列して接続されたヒューズ（図示せず）をさらに含むことがより好ましい。
【００２２】
また、両突起２４を設けることで、本考案の発光ダイオード支持台２の構造強度を向上できる。以下に、従来の発光ダイオード支持台と本考案による発光ダイオード支持台２の構造強度のテスト比較テーブルを示す。
0003174767.tif 000003
【００２３】
上記に示された比較テーブルから、両突起２４が設けられた本考案の発光ダイオード支持台２は、その構造強度が従来の発光ダイオード支持台の構造強度よりも４２％向上したことが分かる。
【００２４】
以上のように、本考案による発光ダイオード支持台は、本体２１の最も折れ易い箇所に補強用の突起２４が設けられることで、構造補強の効果を有し、また、当該突起２４は、下へ徐々に傾斜する連続斜面、即ち第１斜面２４１と第２斜面２４２とをさらに有し、遮光しないよう光線を避ける効果（発光効率が影響されず）と、より強固な構造補強の効果とを兼備し、区画体２３の縦セグメント２３１を第１、第２ブラケット２２、２２Ａのうち何れかの一方に近く位置させ、ブラケットセットの上面に大きな空間２２３及び小さな空間２２４が該縦セグメント２３１により区画され、該大きな空間２２３の大きさが図示されない電子素子を十分に設置できるため、大きな空間２２３に保護用の電子素子が電気的に設置され易くなり、静電気やサージまたは突入電流などに破壊されないよう発光ダイオードを保護できる外、電子素子を設置するときに、増設し難い或いは増設できない困惑がなくなることを特徴とする。
【００２５】
以上の説明は、単に本考案の好ましい実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【符号の説明】
【００２６】
１・・・・・・・・・発光ダイオード支持台
１１・・・・・・・・本体
１２・・・・・・・・第１ブラケット
１２Ａ・・・・・・・第２ブラケット
１３・・・・・・・・区画体
１１１・・・・・・・側辺
１１２・・・・・・・凹部
１２１、１２１Ａ・・ブラケット上面
１２２、１２２Ａ・・凹溝
１２３・・・・・・・第１空間
１２４・・・・・・・第２空間
１３１・・・・・・・縦セグメント
２・・・・・・・・・発光ダイオード支持台
２１・・・・・・・・本体
２２・・・・・・・・第１ブラケット
２２Ａ・・・・・・・第２ブラケット
２３・・・・・・・・区画体
２４・・・・・・・・突起
２１１・・・・・・・側辺
２１２・・・・・・・内縁
２１３・・・・・・・凹部
２２１、２２１Ａ・・第１、第２ブラケット上面
２２２、２２２Ａ・・設置部
２２３・・・・・・・大きな空間
２２４・・・・・・・小さな空間
２３１・・・・・・・縦セグメント
２４１・・・・・・・第１斜面
２４２・・・・・・・第２斜面
２４３・・・・・・・収束端
【図１】
0003174767.tif 000004
【図２】
0003174767.tif 000005
【図３】
0003174767.tif 000006
【図４】
0003174767.tif 000007
【図５】
0003174767.tif 000008